(57)【要約】【課題】フロートのメンテナンスを容易に行うことができる水田作業機を提供する。【解決手段】ねじりバネ３５の前方部４１が支持アーム３２から取り外されてフロート２７の上面２７ａに当接されると共にねじりバネ３５の後方部４２がフロート２７の上面２７ａに当接される取り外し状態において、前方部４１とフロート２７との間に、前方部４１を持ち上げる為の空間Ｓが形成されている。【選択図】図５
2015173662.tif 000002
【特許請求の範囲】
【請求項１】
支持アームと、
前記支持アームの下側に位置するフロートと、
前記支持アームと前記フロートとを揺動自在に連結する連結軸と、
前記連結軸に巻き付けられ、前記フロートを後ろ下がりに付勢可能なねじりバネと、が備えられ、
前記ねじりバネに、前記連結軸に支持されるコイル部と、前記コイル部から前方へ延出されて前記支持アームに対して着脱可能な前方部と、前記コイル部から後方へ延出されて前記フロートの上面に当接される後方部と、が備えられ、
前記前方部が前記支持アームに取り付けられると共に前記後方部が前記フロートの上面に当接されて前記フロートを後ろ下がりに付勢する取り付け状態と、前記前方部が前記支持アームから取り外されて前記フロートの上面に当接されると共に前記後方部が前記フロートの上面に当接される取り外し状態とに、前記ねじりバネが状態変更可能に構成され、
前記ねじりバネの前記取り外し状態において、前記前方部と前記フロートとの間に、前記前方部を持ち上げる為の空間が形成されている水田作業機。
【請求項２】
前記前方部に、下向きに屈曲される屈曲部が備えられ、
前記ねじりバネの前記取り外し状態において、前記屈曲部により前記空間が形成されている請求項１に記載の水田作業機。
【請求項３】
前記支持アームに、横向きの横孔が備えられ、
前記前方部の前端に、前記ねじりバネの前記取り付け状態において、前記横孔に掛止されるフック部が備えられ、
前記屈曲部が、前記フック部の基端となっている請求項２に記載の水田作業機。
【請求項４】
前記フック部に、前記横孔から遠ざかる方向に前記基端から横向きに延出される第一延出部と、前記第一延出部から折り返される折り返し部と、前記横孔に近づく方向に前記折り返し部から横向きに延出される第二延出部と、が備えられ、
前記ねじりバネの前記取り外し状態において、前記第二延出部が前記フロートの上面に当接するように構成されている請求項３に記載の水田作業機。
【請求項５】
前記ねじりバネの前記取り外し状態において、前記フロートの上面から前記コイル部の軸心までの距離よりも前記フロートの上面から前記屈曲部までの距離が大きくなるように構成されている請求項２〜４のいずれか一項に記載の水田作業機。
【発明の詳細な説明】
【技術分野】
【０００１】
本発明は、支持アームと、支持アームの下側に位置するフロートと、が備えられている水田作業機に関する。
【背景技術】
【０００２】
例えば、下記の特許文献１に、従来の水田作業機のフロート構造が記載されている。特許文献１に記載の技術では、支持アーム（特許文献１では「支持アーム（１２）」）とフロート（特許文献１では「接地フロート（１１）」）とを揺動自在に連結する連結軸（特許文献１では「支軸（１３）」）と、が備えられている。特許文献１では特に図示されていないが、この連結軸には、フロートを後ろ下がりに付勢可能なねじりバネが備えられている。そのねじりバネには、連結軸に支持されるコイル部と、コイル部から前方へ延出されて支持アームに対して着脱可能な前方部と、コイル部から後方へ延出されてフロートの上面に当接される後方部と、が備えられている。
【０００３】
フロート構造において、そのようなねじりバネが備えられることにより、フロートの前部側に比べて軽い後部側が下向きに付勢されて、フロートの前後バランスが改善される。
【先行技術文献】
【特許文献】
【０００４】
【特許文献１】特開２００１−２２４２１２号公報（図３）
【発明の概要】
【発明が解決しようとする課題】
【０００５】
しかし、従来の技術では、ねじりバネの前方部を支持アームから取り外すと、ねじりバネの前方部は、ねじりバネの付勢力によって、フロートの上面に、殆ど隙間のない状態で当接して押し付けられる状態となる。このため、支持アームに対してねじりバネの前方部を再取り付けする作業を行う場合等に、ねじりバネの前方部を持ち上げる操作に手間がかかり、フロートのメンテナンスを行い難くなっていた。
【０００６】
上記実情に鑑み、フロートのメンテナンスを容易に行うことができる水田作業機の提供が望まれていた。
【課題を解決するための手段】
【０００７】
本発明に係る水田作業機は、支持アームと、前記支持アームの下側に位置するフロートと、前記支持アームと前記フロートとを揺動自在に連結する連結軸と、前記連結軸に巻き付けられ、前記フロートを後ろ下がりに付勢可能なねじりバネと、が備えられ、前記ねじりバネに、前記連結軸に支持されるコイル部と、前記コイル部から前方へ延出されて前記支持アームに対して着脱可能な前方部と、前記コイル部から後方へ延出されて前記フロートの上面に当接される後方部と、が備えられ、前記前方部が前記支持アームに取り付けられると共に前記後方部が前記フロートの上面に当接されて前記フロートを後ろ下がりに付勢する取り付け状態と、前記前方部が前記支持アームから取り外されて前記フロートの上面に当接されると共に前記後方部が前記フロートの上面に当接される取り外し状態とに、前記ねじりバネが状態変更可能に構成され、前記ねじりバネの前記取り外し状態において、前記前方部と前記フロートとの間に、前記前方部を持ち上げる為の空間が形成されているものである。
【０００８】
本発明によると、ねじりバネの取り外し状態において、ねじりバネの前方部とフロートとの間に、前方部を持ち上げる為の空間が形成されるようになっている。したがって、ねじりバネの前方部とフロートとの間の空間に、手の指や工具等を容易に差し入れることが可能となり、ねじりバネの前方部を持ち上げる操作を簡単に行うことができる。このため、例えば、支持アームに対してねじりバネの前方部を再取り付けする作業等が行い易くなる。したがって、本発明によると、フロートのメンテナンスを容易に行うことができる。
【０００９】
本発明において、前記前方部に、上向きに突出する屈曲部が備えられ、前記ねじりバネの前記取り外し状態において、前記屈曲部により前記空間が形成されていると好適である。
【００１０】
本構成によれば、ねじりバネを上向きに突出するように屈曲させる容易な加工で、ねじりバネの前方部を持ち上げる為の空間が好適に確保され、フロートのメンテナンス性を向上できる。
【００１１】
本発明において、前記支持アームに、横向きの横孔が備えられ、前記前方部の前端に、前記ねじりバネの前記取り付け状態において、前記横孔に掛止されるフック部が備えられ、前記屈曲部が、前記フック部の基端となっていると好適である。
【００１２】
本構成によれば、支持アームに備えられる横向きの横孔に、ねじりバネの前方部の前端のフック部が掛止されることにより、ねじりバネが取り付け状態となる。ねじりバネの前方部の前端のフック部には、曲げの基端が存在するが、ねじりバネの前方部を持ち上げる為の空間を形成する屈曲部が、そのフック部の基端を兼ねている。よって、曲げ回数を過度に増やすことなく、取り扱いの容易なねじりバネを比較的安価に製作できる。
【００１３】
本発明において、前記フック部に、前記横孔から遠ざかる方向に前記基端から横向きに延出される第一延出部と、前記第一延出部から折り返される折り返し部と、前記横孔に近づく方向に前記折り返し部から横向きに延出される第二延出部と、が備えられ、前記ねじりバネの前記取り外し状態において、前記第二延出部が前記フロートの上面に当接するように構成されていると好適である。
【００１４】
本構成によれば、ねじりバネの取り外し状態において、ねじりバネのうち支持アームの横孔に近づく方向に横向きに延出される第二延出部が、フロートの上面に当接される。よって、ねじりバネの取り外し状態において、ねじりバネがフロートの上面に対して点接触しにくく、フロートの上面に傷等が生じにくくなる。
【００１５】
本発明において、前記ねじりバネの前記取り外し状態において、前記フロートの上面から前記コイル部の軸心までの距離よりも前記フロートの上面から前記屈曲部までの距離が大きくなるように構成されていると好適である。
【００１６】
本構成によれば、ねじりバネの前方部を持ち上げる為の空間が大きく確保され、ねじりバネの前方部とフロートとの間の空間に、余裕を持って手の指や工具等を差し入れることができる。
【図面の簡単な説明】
【００１７】
【図１】乗用型田植機の平面図である。
【図２】乗用型田植機の側面図である。
【図３】フロート構造の周辺の平面図である。
【図４】フロート構造の周辺の側面視の縦断面図である。
【図５】取り外し状態のねじりバネを示す側面図である。
【図６】整地部材の周辺の側面視の縦断面図である。
【図７】垂れ下がり防止機構の周辺の正面視の部分断面図である。
【発明を実施するための形態】
【００１８】
以下、本発明の実施形態を図面に基づいて説明する。
図１、図２に示されるように、「水田作業機」の一例である乗用型田植機Ｗは、例えば８条植式に構成されている。乗用型田植機Ｗには、左右一対の前輪１１及び後輪１２によって自走式に構成される走行機体１３が備えられている。走行機体１３の前部には、エンジン１４が備えられている。走行機体１３の中央部には、作業者が搭乗する運転座席１５等が配置された操縦部１６が備えられている。走行機体１３の後部には、８条植仕様の苗植付装置１７が、リンク機構１８を介して昇降自在に連結されている。
【００１９】
図１、図３、図４、図６、図７に示されるように、苗植付装置１７には、リンク機構１８に連結支持される植付フレーム１９が備えられている。図３に示されるように、植付フレーム１９には、機体左右横向きの角型の鋼管材でなるメインフレーム１９ａが備えられている。図２に示されるように、苗植付装置１７には、植付フレーム１９に、苗のせ台２０、８つの苗植付機構２１、５つのフロート構造等が支持されて備えられている。
【００２０】
図１、図２に示されるように、苗のせ台２０には、８条分のマット状苗が載置される。苗のせ台２０は、摺動板２２に下端側を案内されて、左右に一定ストロークで往復横送り駆動自在となっている。摺動板２２の横外側には、メインフレーム１９ａの機体横外端部に支持される保護部材２３が備えられている。苗のせ台２０には、苗のせ台２０が往復横送り運動のストロークエンドに達する毎に、苗のせ台２０に載置された苗を所定量だけ下方に送るベルト式の縦送り装置２４が備えられている。
【００２１】
苗植付機構２１は、苗のせ台２０に載置されたマット状苗を圃場に植え付けるように構成されている。メインフレーム１９ａから機体後方向きに、４つの植付駆動ケース２５が延出して備えられている。苗植付機構２１は、各植付駆動ケース２５の左右両側にそれぞれ一対で備えられており、各苗植付機構２１は、植付駆動ケース２５に対して回転駆動自在に備えられている。
【００２２】
〔フロート構造〕
図２に示されるように、５つのフロート構造としては、２条整地用のＴ型のフロート２７が備えられる３つのフロート構造Ａと、１条整地用のＵ型のフロート２８が備えられる２つのフロート構造Ｂと、が備えられている。フロート構造Ａの間に、フロート構造Ｂがそれぞれ配置されている。ここでは、一例として、図３に示されるようなＴ型のフロート２７が備えられるフロート構造Ａについて、詳細に説明する。
【００２３】
図３、図４、図６に示されるように、フロート構造Ａには、調節レバー３０と、フロート支軸３１と、支持アーム３２と、フロート２７と、ブラケット３３と、連結軸３４と、ねじりバネ３５と、が備えられている。
【００２４】
調節レバー３０は、苗の植え付け深さを調節する部材である。図４に示されるように、調節レバー３０は、メインフレーム１９ａに固定されるレバーガイド３６のガイド溝３６ａに挿通されている。
【００２５】
図３に示されるように、フロート支軸３１は、機体横方向に沿って延出されるパイプ状の部材である。図３、図４、図６に示されるように、フロート支軸３１は、調節レバー３０がフロート支軸３１の第一横軸心Ｘ１周りに、レバーガイド３６のガイド溝３６ａに沿わせて揺動操作されることにより、回動調節される。図４から理解されるように、フロート支軸３１が回動調節されることにより、支持アーム３２が上下に揺動操作され、図２に示される３つのフロート２７及び２つのフロート２８が、植付フレーム１９に対して昇降調節される。
【００２６】
図３に示されるように、支持アーム３２は、左右一対で備えられている。図３、図４に示されるように、各支持アーム３２の一端部は、フロート支軸３１に固定されている。左右のうち一方の支持アーム３２には、複数の横向きの横孔３２ａが貫設されて備えられている。
【００２７】
図４、図５に示されるように、フロート２７は、支持アーム３２の下側に位置している。フロート２７は、平面視でＴ型の形状を呈している。
【００２８】
図３、図４から理解されるように、ブラケット３３は、上向きに開放されたＵ字型の形状を呈している。ブラケット３３は、フロート２７の上面２７ａに固定されている。ブラケット３３の左右端部には、各支持アーム３２の他端部が、横向きの連結軸３４を介して、連結軸３４の軸心周りに回動自在に連結されている。
【００２９】
図３に示されるように、連結軸３４は、横向きとされ、支持アーム３２とフロート２７とを揺動自在に連結している。
【００３０】
図３〜図５に示されるように、ねじりバネ３５は、連結軸３４に巻き付けられている。ねじりバネ３５は、フロート２７を後ろ下がりに付勢可能となっている。ねじりバネ３５には、連結軸３４に巻き付けられて支持されているコイル部４０と、コイル部４０の下端部から前方へ延出される前方部４１と、コイル部４０の下端部から後方へ延出される後方部４２と、が備えられている。
【００３１】
図４、図５に示されるように、前方部４１は、支持アーム３２に対して着脱可能となっている。前方部４１には、上向きに突出する屈曲部４１ａが備えられている。屈曲部４１ａは、前方部４１の後半部位に対して、前方部４１の直線状に延出される前半部位を、フロート２７の上面２７ａ側へ向けて下向きに屈曲させる部位となっている。つまり、前方部４１は、側面視で、Ｌ字状に屈曲されている。後方部４２は、コイル部４０から後方へ延出されてフロート２７の上面２７ａに当接されるようになっている。この際、後方部４２の後端部は、横向きに曲げられており、フロート２７の上面２７ａに点接触しにくくなっている。
【００３２】
図３、図４に示されるように、前方部４１の前半部位、つまり、前方部４１の前端には、ねじりバネ３５の取り付け状態において、横孔３２ａに掛止されるフック部４１ｂが備えられている。屈曲部４１ａは、フック部４１ｂの曲げの基端となっている。フック部４１ｂには、第一延出部４１ｂａと、折り返し部４１ｂｂと、第二延出部４１ｂｃと、が備えられている。第一延出部４１ｂａは、横孔３２ａから遠ざかる方向に基端から横向きに延出される部位である。折り返し部４１ｂｂは、第一延出部４１ｂａから折り返される部位である。
【００３３】
ねじりバネ３５は、図３、図４に示されるような取り付け状態と、図５に示されるような取り外し状態とに、状態変更可能に構成されている。ねじりバネ３５を取り付け状態にすると、前方部４１が、支持アーム３２に取り付けられると共に後方部４２が、フロート２７の上面２７ａに当接されてフロート２７が後ろ下がりに付勢される。この際、フック部４１ｂの第二延出部４１ｂｃを、支持アーム３２の複数の横孔３２ａのうち、いずれの横孔３２ａに掛止するかによって、ねじりバネ３５の付勢力を調整できるようになっている。
【００３４】
一方、図５に示されるように、ねじりバネ３５を取り外し状態にすると、前方部４１が支持アーム３２から取り外されてフロート２７の上面２７ａに当接されると共に後方部４２がフロート２７の上面２７ａに当接される。この際、前方部４１は、屈曲部４１ａの周辺部分が、フロート２７の上面２７ａから上下方向に離間した状態となる。つまり、ねじりバネ３５を取り外し状態にすると、ねじりバネ３５の屈曲部４１ａによって、ねじりバネ３５の前方部４１とフロート２７の上面２７ａとの間に、前方部４１を持ち上げる為の空間Ｓが形成される。
【００３５】
ねじりバネ３５の取り外し状態においては、第二延出部４１ｂｃがフロート２７の上面２７ａに当接するように構成されている。ねじりバネ３５の取り外し状態において、フロート２７の上面２７ａからコイル部４０の第二横軸心Ｘ２（「軸心」に相当）までの距離ｔ１よりもフロート２７の上面２７ａから屈曲部４１ａまでの距離ｔ２が大きくなるように構成されている。また、フロート２７の上面２７ａから前方部４１の基端であるコイル部４０の下端までの距離よりもフロート２７の上面２７ａから屈曲部４１ａまでの距離ｔ２が大きくなるように構成されている。
【００３６】
このため、ねじりバネ３５を支持アーム３２から取り外した取り外し状態において、屈曲部４１ａの下方の空間Ｓに、手の指や工具等を差し入れて、ねじりバネ３５をフロート２７の上面２７ａに対して容易に、持ち上げることができる。このため、フロート２７に関するメンテナンスを行い易いものにできる。
【００３７】
〔保護部材〕
図３に示されるように、保護部材２３は、メインフレーム１９ａの機体外端部に固定される取付部材５０に対して回動可能に支持されている。取付部材５０は、平面断面視で、コ字状とされている。取付部材５０には、一対の貫通孔５０ａ及び一対の第一挿通孔５０ｂが備えられている。保護部材２３には、第一前後部５１と、延出部５２と、第二前後部５３と、取付片５４と、位置決めピン５５と、が備えられている。第一前後部５１は、取付部材５０の貫通孔５０ａに貫通支持されている。第一前後部５１の一端部には、プレート５６が固定されており、第一前後部５１の外周における取付部材５０とプレート５６との間には、ばね部材５７が配置されている。取付片５４は、延出部５２の延出方向に沿った平板状とされ、第一前後部５１に溶接等により固定されている。取付片５４には、第二挿通孔５４ａが備えられている。
【００３８】
位置決めピン５５は、取付部材５０の第一挿通孔５０ｂ及び取付片５４の第二挿通孔５４ａに挿通されてから、先端を折り曲げることにより固定部５５ａが形成される。固定部５５ａは、延出部５２に溶接等により固定されると共に、位置決めピン５５の中途部５５ｂが、取付片５４に溶接等により固定される。これにより、位置決めピン５５が、第一前後部５１と延出部５２とに亘って固定される。
【００３９】
保護部材２３は、前後軸心Ｙ周り回動することにより、第二前後部５３を摺動板２２の横外側に位置させて、第二前後部５３で摺動板２２を保護する保護状態（図１〜図３参照）と、第二前後部５３を接地させて、苗植付装置１７のスタンドとして機能するスタンド状態（不図示）とに、変更自在に構成されている。
【００４０】
このように、図３に示されるように、位置決めピン５５を曲げて固定部５５ａを形成し、その固定部５５ａを延出部５２に固定するようにしているので、例えば、孔を開けた延出部に、直線状に位置決めピンを挿通する場合よりも、保護部材２３を簡易な構成で補強できる。
【００４１】
〔垂れ下がり防止機構〕
図１、図４、図７に示されるように、フロート２７には、フロート２７の垂れ下がりを防止する垂れ下がり防止機構６０が備えられている。垂れ下がり防止機構６０には、支持部材６１と、Ｕ字状部材６２と、連係ロッド６３と、が備えられている。
【００４２】
図４、図７に示されるように、支持部材６１は、板状の部材であり、メインフレーム１９ａの前側部分に複数のボルト６４等で固定されている。Ｕ字状部材６２は、正面視で、Ｕ字状で上向きの開口を有する部材であり、支持部材６１の前面に、溶接等により固定されている。Ｕ字状部材６２には、縦向き孔６２ａと、横向き孔６２ｂと、が備えられている。連係ロッド６３には、正面視でＬ字状の取付部６３ａと、取付部６３ａの下端から下向きに延出されるスライド部６３ｂと、スライド部６３ｂの下端側に位置する横向きの当接部６３ｃと、が備えられている。取付部６３ａは、Ｕ字状部材６２の縦向き孔６２ａ及び横向き孔６２ｂに挿通されている。Ｕ字状部材６２から横向きに突出した部位のピン孔には、スナップピン６２ｃが挿通されている。スライド部６３ｂは、フロート２７の前端部のフランジに備えられる係合孔２７ｂに挿通され、フロート２７に対して相対動自在となっている。当接部６３ｃは、フロート２７の下面に当接し、係合孔２７ｂから抜けないようになっている。
【００４３】
このような垂れ下がり防止機構６０が備えられているので、図４、図７から理解されるように、フロート２７が一定範囲で上下揺動自在になりながら、連係ロッド６３の当接部６３ｃによって、フロート２７が、垂れ下がり規制位置よりも前下がりになることがない。しかも、メインフレーム１９ａに連係ロッド６３が位置決めされているので、メインフレーム１９ａに対する当接部６３ｃの位置が一定に保たれる。これにより、フロート２７の垂れ下がり規制位置が変化しないものとなる。このような垂れ下がり防止機構６０であると、部品点数の少ない簡素な構成で、フロート２７の垂れ下がりを好適に防止できる。
【００４４】
〔整地部材〕
図１〜図４、図６に示されるように、フロート支軸３１には、整地部材７０が備えられている。整地部材７０は、各フロート構造の間にそれぞれ配置されている。図４に示されるように、整地部材７０には、被支持部７０ａと、整地部７０ｂと、が備えられている。被支持部７０ａは、フロート支軸３１に取り付けられる部位であり、フロート支軸３１の周囲に取り付けられるバンド体７０ｃによって、フロート支軸３１に対して一体回動するように取り付けられている。整地部７０ｂは、レーキ状の形状を呈しており、圃面に接触して、整地を行う部位である。整地部７０ｂは、被支持部７０ａの前端から後ろ下がりに延出されている。
【００４５】
このように、メインフレーム１９ａよりも後方に位置しているフロート支軸３１に整地部材７０が備えられているので、図１から理解されるように、メインフレーム１９ａよりも前方に位置する後輪１２に対して、整地部材７０が干渉しにくいものとなる。また、整地部７０ｂがフロート支軸３１と一体回動するので、整地部７０ｂに夾雑物が留まりにくい。また、整地部７０ｂがフロート支軸３１と一体回動するので、苗の植え深さを変更した際に、フロート支軸３１の回動に伴って、整地部７０ｂが回動し、変更後の苗の植え深さに整地高さが自動的に追従される。
【００４６】
〔別実施形態〕
（１）上記実施形態では、ねじりバネ３５の取り外し状態において、フロート２７からコイル部４０の第二横軸心Ｘ２までの距離ｔ１よりもフロート２７から屈曲部４１ａまでの距離ｔ２が大きくなるように構成されているものが一例に示されているが、これに限られない。例えば、ねじりバネの取り外し状態において、フロート２７からコイル部の第二横軸心までの距離が、フロート２７から屈曲部までの距離よりも小さいものであってもよい。
【００４７】
（２）上記実施形態では、ねじりバネ３５の取り外し状態において、第二延出部４１ｂｃがフロート２７の上面２７ａに当接するように構成されているものが一例に示されているが、これに限られない。例えば、ねじりバネ３５の取り外し状態において、第二延出部４１ｂｃと異なる部位が、フロート２７の上面２７ａに当接するように構成されていてもよい。
【００４８】
（３）上記実施形態では、ねじりバネ３５において、屈曲部４１ａが、フック部４１ｂの曲げの基端となっているものが一例に示されているが、これに限られない。屈曲部の部位置と、フック部の曲げの基端となる部位とが異なるねじりバネであってもよい。
【００４９】
（４）上記実施形態では、ねじりバネ３５の取り付け状態において、支持アーム３２に貫設される横孔３２ａに、ねじりバネ３５のフック部４１ｂが掛止されているが、これに限られない。例えば、支持アーム３２に固定されるリング部材等にねじりバネ３５のフック部４１ｂが掛止されていてもよい。
【００５０】
（５）上記実施形態では、ねじりバネ３５の前方部４１が、側面視で、Ｌ字状に屈曲されている例が示されているが、これに限られない。例えば、ねじりバネの前方部が、側面視で、上向き湾曲状や、四角状等の他の形状であってもよい。
【００５１】
（６）上記実施形態では、ねじりバネ３５の前方部４１に屈曲部４１ａが備えられているものが一例に示されているが、これに限られない。例えば、前方部が直線状となった他のねじりバネであってもよい。この場合、ねじりバネのコイル部の第二横軸心とフロート２７の上面２７ａとの距離は十分に大きく確保される。ねじりバネの取り外し状態において、ねじりバネの前方部とフロート２７の上面２７ａとの間には、前方部を持ち上げる為の空間が形成される。
【００５２】
（７）上記実施形態では、「フロート」の一例として、Ｔ型のフロート２７が一例に示されているが、これに限られない。例えば、上記フロート構造ＢにおけるＵ型のフロート２８や、Ｌ型のフロート等の他のフロートであってもよい。
【００５３】
（８）上記実施形態では、８条植式の乗用型田植機が一例として示されているが、これに限られない。１条植式〜７条植式、または、９条植式以上の乗用型田植機であってもよい。
【産業上の利用可能性】
【００５４】
本発明は、上記乗用型田植機の他、乗用型直播機等の他の水田作業機にも利用可能である。
【符号の説明】
【００５５】
２７      ：フロート
２７ａ    ：上面
３２      ：支持アーム
３２ａ    ：横孔
３４      ：連結軸
３５      ：ねじりバネ
４０      ：コイル部
４１      ：前方部
４１ａ    ：屈曲部
４１ｂ    ：フック部
４１ｂａ  ：第一延出部
４１ｂｂ  ：折り返し部
４１ｂｃ  ：第二延出部
４２      ：後方部
ｔ１、ｔ２：距離
Ｓ        ：空間
Ｗ        ：乗用型田植機（水田作業機）
Ｘ２      ：第二横軸心（軸心）
【図１】
2015173662.tif 000003
【図２】
2015173662.tif 000004
【図３】
2015173662.tif 000005
【図４】
2015173662.tif 000006
【図５】
2015173662.tif 000007
【図６】
2015173662.tif 000008
【図７】
2015173662.tif 000009